(57)【要約】      （修正有）【課題】成形された空洞構造を備えるゴルフクラブヘッドを提供する。【解決手段】ゴルフクラブヘッド１０は、ストライクフェース２６、クラウン１８、およびソール２０を含み、かつ共に結合される前方セクション１２およびボディセクション１４から形成される。前方セクションは、ストライクフェースを含み、またボディセクションは、クラウンの一部を画定する上側外殻４０、ソールの一部を画定する下側外殻４２、および上側外殻と下側外殻の間で延びる内壁を含む。内壁は、ポリマー材料から成形され、かつ上側外殻および下側外殻の一方と一体に形成される。上側外殻および下側外殻の少なくとも一方は、上側外殻と下側外殻の間に設けられた、かつ内壁により少なくとも部分的に画定される空洞部と連通している開口部を画定する。【選択図】図１
2019188165.tif 000002
【特許請求の範囲】
【請求項１】
ストライクフェース、クラウン、およびソールを有するゴルフクラブヘッドであって、
前記ストライクフェースを含む前方セクションと、
前記前方セクションと結合されるボディセクションであって、前記クラウンの一部を画定する上側外殻、前記ソールの一部を画定する下側外殻、および前記上側外殻と前記下側外殻の間で延びる内壁、を含む、ボディセクションと、を備え、
前記内壁が、ポリマー材料から成形され、
前記上側外殻および前記下側外殻の少なくとも一方が、前記上側外殻と前記下側外殻の間で延びる空洞部と連通している開口部を画定し、
前記空洞部が、前記内壁により少なくとも部分的に画定される、ゴルフクラブヘッド。
【請求項２】
内壁は１つまたは複数の内壁であり、前記開口部は１つまたは複数の開口部であり、前記空洞部は１つまたは複数の空洞部であり、
空洞部の数は、開口部の数以上であり、
前記１つまたは複数の空洞部のそれぞれは、前記１つまたは複数の開口部のそれぞれ１つと連通している、請求項１に記載のゴルフクラブヘッド。
【請求項３】
前記空洞部は、２つ以上の空洞部である、請求項２に記載のゴルフクラブヘッド。
【請求項４】
空洞部の数は、開口部の数よりも多い、請求項３に記載のゴルフクラブヘッド。
【請求項５】
前記内壁は、前記下側外殻に接着される、請求項１に記載のゴルフクラブヘッド。
【請求項６】
前記内壁は、受入れ部分を画定し、
前記下側外殻は、前記ソールから延びるフランジを含み、
前記フランジは、前記内壁の前記受入れ部分内で接着される、請求項５に記載のゴルフクラブヘッド。
【請求項７】
前記下側外殻は、金属材料から形成される、請求項１に記載のゴルフクラブヘッド。
【請求項８】
前記前方セクションは、金属材料から形成され、
前記下側外殻は、前記前方セクションと一体に形成される、請求項７に記載のゴルフクラブヘッド。
【請求項９】
前記下側外殻は、前記ポリマー材料から形成される、請求項１に記載のゴルフクラブヘッド。
【請求項１０】
前記内壁は、前記内壁と前記前方セクションの間で閉じた空洞部を少なくとも部分的に画定する、請求項１に記載のゴルフクラブヘッド。
【請求項１１】
前記成形されるポリマー材は、複数の不連続な埋め込まれた繊維を有する充填された熱可塑性材料である、請求項１に記載のゴルフクラブヘッド。
【請求項１２】
前記内壁は、前記上側外殻および前記下側外殻の一方と一体に成形される、請求項１に記載のゴルフクラブヘッド。
【請求項１３】
前記開口部は、第１の開口部であり、前記上側外殻により画定され、
前記下側外殻は、前記上側外殻と前記下側外殻の間で延びる第２の空洞部と連通する第２の開口部を画定し、
前記第２の空洞部は、前記内壁により部分的に画定される、請求項１に記載のゴルフクラブヘッド。
【請求項１４】
ストライクフェース、クラウン、およびソールを有するゴルフクラブヘッドであって、
前記ストライクフェースを含む前方セクションと、
前記前方セクションと結合されるボディセクションであって、下側外殻に接着された上側外殻、およびそれらの間で延びる内壁、を含む、ボディセクションと、を備え、
前記上側外殻が、前記クラウンの一部を画定し、前記下側外殻が前記ソールの一部を画定し、
前記内壁が、ポリマー材料から形成され、前記上側外殻および前記下側外殻の一方と一体に成形され、前記上側外殻および前記下側外殻の一方に接着され、
前記上側外殻および前記下側外殻の少なくとも一方が、前記内壁により少なくとも部分的に画定される空洞部と連通する開口部を画定する、ゴルフクラブヘッド。
【請求項１５】
前記開口部は複数の開口部であり、前記空洞部は複数の空洞部であり、前記複数の空洞部のそれぞれが、前記複数の開口部のそれぞれ１つと連通している、請求項１４に記載のゴルフクラブヘッド。
【請求項１６】
前記開口部とは反対の前記ボディセクションの一部から前記空洞部の中へと延びる二次的な壁をさらに備える、請求項１４に記載のゴルフクラブヘッド。
【請求項１７】
ストライクフェース、クラウン、およびソールを有するゴルフクラブヘッドであって、
前記ストライクフェースを含む前方セクションと、
前記前方セクションと結合されるボディセクションであって、前記クラウンの一部を画定する上側部分、および前記ソールの一部を画定する下側部分、を含む、ボディセクションと、を備え、
前記上側部分が、成形されるポリマー材料から形成されており、前記下側部分と接触するように延びる内壁を含み、
前記下側部分が、前記ソールを通って延びる開口部を画定し、
前記内壁および前記クラウンが、前記開口部と連通する空洞部を少なくとも部分的に画定する、ゴルフクラブヘッド。
【請求項１８】
内壁は１つまたは複数の内壁であり、前記開口部は１つまたは複数の開口部であり、前記空洞部は１つまたは複数の空洞部であり、
空洞部の数は、開口部の数以上であり、
前記１つまたは複数の空洞部のそれぞれは、前記１つまたは複数の開口部のそれぞれ１つと連通している、請求項１７に記載のゴルフクラブヘッド。
【請求項１９】
前記空洞部は、２つ以上の空洞部である、請求項１８に記載のゴルフクラブヘッド。
【請求項２０】
空洞部の数は、開口部の数よりも多い、請求項１９に記載のゴルフクラブヘッド。
【請求項２１】
前記内壁は、前記下側部分に接着される、請求項１７に記載のゴルフクラブヘッド。
【請求項２２】
前記内壁は、受入れ部分を画定し、
前記下側部分は、前記ソールから延びるフランジを含み、
前記フランジは、前記内壁の前記受入れ部分内で接着される、請求項２１に記載のゴルフクラブヘッド。
【請求項２３】
前記下側部分は、金属材料から形成される、請求項１７に記載のゴルフクラブヘッド。
【請求項２４】
前記前方セクションは、金属材料から形成され、
前記下側部分は、前記前方セクションと一体に形成される、請求項２３に記載のゴルフクラブヘッド。
【請求項２５】
前記下側部分は、前記ポリマー材料から形成される、請求項１７に記載のゴルフクラブヘッド。
【請求項２６】
前記内壁は、前記内壁と前記前方セクションの間に閉じた空洞部を少なくとも部分的に画定する、請求項１７に記載のゴルフクラブヘッド。
【請求項２７】
前記成形されるポリマー材料は、複数の埋め込まれた繊維を有する充填された熱可塑性材料である、請求項１７に記載のゴルフクラブヘッド。
【請求項２８】
ストライクフェース、クラウン、およびソールを有するゴルフクラブヘッドであって、
前記ストライクフェースを含む前方セクションと、
前記前方セクションと結合されるボディセクションであって、前記クラウンの一部を画定する上側部分、および前記ソールの一部を画定する下側部分、を含む、ボディセクションと、を備え、
前記上側部分が、成形されるポリマー材料から形成されており、前記下側部分の方向に延びる複数の内壁を含み、
前記下側部分が、前記ソールを通って延びる複数の開口部を画定し、
前記複数の内壁および前記クラウンが、３つ以上の空洞部を少なくとも部分的に画定し、前記３つ以上の空洞部のそれぞれが、前記複数の開口部のそれぞれ１つと連通しており、
空洞部の数は、開口部の数以上である、ゴルフクラブヘッド。
【請求項２９】
前記開口部よりも少なくとも２つ多い空洞部が存在する、請求項２８に記載のゴルフクラブヘッド。
【請求項３０】
前記複数の内壁の少なくとも１つは、前記下側部分に接着される、請求項２８に記載のゴルフクラブヘッド。
【請求項３１】
前記複数の内壁の前記少なくとも１つは、受入れ部分を画定し、
前記下側部分は、前記ソールから延びるフランジを含み、
前記フランジは、前記受入れ部分内で接着される、請求項３０に記載のゴルフクラブヘッド。
【請求項３２】
前記下側部分は、金属材料から形成される、請求項２８に記載のゴルフクラブヘッド。
【請求項３３】
前記前方セクションは、金属材料から形成され、
前記下側部分は、前記前方セクションと一体に形成される、請求項３２に記載のゴルフクラブヘッド。
【請求項３４】
前記複数の内壁の少なくとも１つが、前記少なくとも１つの内壁と前記前方セクションの間で閉じた空洞部を画定する、請求項２８に記載のゴルフクラブヘッド。
【請求項３５】
前記成形されるポリマー材料は、熱可塑性材料である、請求項２８に記載のゴルフクラブヘッド。
【請求項３６】
前記熱可塑性材料は、複数の埋め込まれた繊維を有する充填された熱可塑性材料である、請求項３５に記載のゴルフクラブヘッド。
【発明の詳細な説明】
【技術分野】
【０００１】
本開示は、概して、成形された空洞構造を備えるゴルフクラブヘッドに関する。
【背景技術】
【０００２】
ゴルフクラブは、概して、細長いシャフトの端部上に配置されたクラブヘッドを含み得る。プレー中に、クラブヘッドをスイングして、地面に置かれた静止状態のボールに接触させ、ボールを意図する方向に、望ましい垂直方向軌道で打ち出すようにすることができる。
【０００３】
ゴルフクラブヘッドを形成するとき、多くの設計パラメータを検討しなくてはならない。例えば、設計は、クラブとボールの間、ならびにクラブと地面の間で繰り返される衝撃力に耐える十分な構造的弾力性を提供しなくてはならない。クラブヘッドは、様々なルール設定協会により設定されたサイズ要件に準拠する必要があり、またクラブのフェースは、事前定義の最大値（適用可能な基準に従って測定される）を超える反発係数を有してはならない。いくつかの事前定義の設計制約が満たされていることを前提として、特定のロフトに対するクラブヘッド設計は、重心の大きさおよび位置、ならびに重心および／またはシャフト回りのヘッドの慣性モーメントにより定量化され得る。
【０００４】
クラブの慣性モーメントは、回転に対する（特に中心からずれた打撃における）クラブの抵抗に関連し、またクラブの「復元許容性（ｆｏｒｇｉｖｅｎｅｓｓ）」の尺度として知覚されることが多い。典型的なクラブ設計では、高い慣性モーメントは、ボールをプッシュまたはフェードさせるクラブの傾向を低減するために望ましい。高い慣性モーメントを達成することは、概して、質量を、可能な限りクラブの周囲の近くに（重心回りの慣性モーメントを最大化するために）、かつ可能な限りトウの近くに（シャフト回りの慣性モーメントを最大化するために）移動させることを伴う。アイアンタイプのゴルフクラブヘッドでは、慣性モーメントを増加させたいというこの要望が、キャビティバック・クラブヘッドおよび中空クラブヘッドなどの設計をもたらしている。
【０００５】
慣性モーメントは、クラブヘッドの復元許容性に影響を与えるが、クラブフェースの背後の（かつソールの上の）重心の位置が、一般に、所与のフェース・ロフト角に対するショットの軌道に影響を与える。可能な限り後方に遠く（フェースから離れて）、かつ低く（ソールの近くに）位置決めされた重心により、通常、重心がより前方に、かつ／またはより高く配置された状態のクラブヘッドよりも高い軌道を有するボールの飛行が得られる。
【０００６】
クラブヘッドの周囲重量を増加させることにより、または質量をトウの方向に移動させることにより、高い慣性モーメントが得られるが、クラブヘッドの合計質量／スイングウェイト（すなわち、重心の大きさ）における増加は、クラブヘッド速度および打った距離に対して、強い悪影響を有する。言い換えると、クラブヘッド速度（および打った距離）を最大にするためには、より低い合計質量が望ましいが、より低い合計質量は、概して、クラブヘッドの慣性モーメント（および復元許容性）を低下させる。
【０００７】
スイング速度（質量）と復元許容性（慣性モーメント）との間の緊張状態において、特定のゴルファーまたは能力レベルにクラブの性能を合わせるために、クラブヘッドの全体を通して、特定の位置に可変量の質量を配置することが望ましい可能性がある。このようにして、合計のクラブヘッド質量は、概して、構造的な質量と自由裁量の質量との２つのカテゴリーに分類することができる。
【０００８】
構造的な質量とは、概して、繰り返される衝撃に耐えるのに必要な構造的弾力性をクラブヘッドに提供するのに必要とされる材料の質量を指す。構造的な質量は、設計依存性の高いものであり、設計者に、特定の質量分布に対する比較的低い制御量を提供する。他方で、自由裁量の質量とは、クラブの性能および／または復元許容性をカスタマイズするだけの目的で、クラブヘッド設計に追加され得る任意の付加質量である。理想的なクラブ設計においては、構造的な質量の量を最小化して（弾力性を犠牲にすることなく）、クラブ性能をカスタマイズするより大幅な能力を設計者に提供し、同時に、従来の、または望ましいスイングウェイトを維持する。
【発明の概要】
【課題を解決するための手段】
【０００９】
ゴルフクラブヘッドは、ストライクフェース、クラウン、およびソールを含み、かつ共に結合される前方セクションおよびボディセクションから形成される。前方セクションは、ストライクフェースを含み、またボディセクションは、クラウンの一部を画定する上側外殻、ソールの一部を画定する下側外殻、および上側外殻と下側外殻の間で延びる内壁を含む。内壁は、ポリマー材料から成形され、かつ上側外殻および下側外殻の一方と一体に形成される。上側外殻および下側外殻の少なくとも一方は、上側外殻と下側外殻の間に設けられた、かつ内壁により少なくとも部分的に画定される空洞部と連通している開口部を画定する。
【００１０】
一構成では、内壁は、１つまたは複数の内壁であり、開口部は１つまたは複数の開口部であり、また空洞部は１つまたは複数の空洞部である。空洞部の数は、開口部の数以上であり、１つまたは複数の空洞部のそれぞれは、１つまたは複数の開口部のそれぞれ１つと連通している。
【００１１】
本技術の上記の特徴および利点、ならびに他の特徴および利点は、添付図面と併せて読めば、以下の詳細な説明から容易に明らかになる。
【図面の簡単な説明】
【００１２】
【図１】ゴルフクラブヘッドの概略的な上面斜視図である。
【００１３】
【図２】ゴルフクラブヘッドの概略的な底面斜視図である。
【００１４】
【図３】ゴルフクラブヘッドのボディセクションの上側外殻の概略的な斜視図である。
【００１５】
【図４】ボディセクションの上側外殻を取り除いた状態のゴルフクラブヘッドの概略的な上面斜視図である。
【００１６】
【図５】線５−５に沿った図１のゴルフクラブヘッドの概略的な横断面図である。
【００１７】
【図６】ゴルフクラブヘッドの実施形態の概略的な斜視図である。
【００１８】
【図７】ゴルフクラブヘッドの実施形態の概略的な側面図である。
【発明を実施するための形態】
【００１９】
図面を参照すると、同様の参照数字は、様々な図における同様の、または同一の構成要素を識別するために使用されるが、図１は、前方セクション１２およびボディセクション１４を含むウッドタイプのゴルフクラブヘッド１０を概略的に示している。クラブヘッド１０は、細長いシャフト１６の端部に取り付けることができ、細長いシャフト１６は、ユーザにより把持され、かつスイングされて、クラブヘッド１０に、概して弧状運動を付与することができる。
【００２０】
クラブヘッド１０が、中立的な打つ位置（すなわち、シャフト１６が、垂直平面内に、かつ水平な基準面に対して規定のライ角で完全に維持される位置）に保持されたとき、クラブヘッド１０は、概して、クラウン１８およびソール２０を含むことができ、ソール２０は、基準面とクラウン１８との間に配置される。この説明においては、クラウン１８は、クラブヘッド１０の外側表面が垂直な接線を有する（すなわち、水平な基準面に対して）場所で、ソール２０と接することができる。クラブヘッド１０は、クラウン１８から全体的に延びるホーゼル２２をさらに含むことができ、かつシャフト・アダプタを受け入れる、またはその他の形で、クラブヘッド１０を細長いシャフト１６と結合するように構成される。
【００２１】
クラブヘッド１０の前方セクション１２は、通常のスイング中にゴルフボールをインパクトするように意図されたストライクフェース２６、ストライクフェース２６を囲むフレーム２８を含み、またさらにホーゼル２２を含むことができる。ボールとのインパクトは、インパクト点付近およびホーゼル２２においてかなり大きな応力を生成する可能性があるため、前方セクション１２は予測されるどんなインパクト負荷にも耐えるのに適した１つまたは複数の金属材料から形成され得る。適切な材料の例は、これだけに限らないが、ステンレス鋼またはチタンの様々な合金を含むことができる。
【００２２】
ストライクフェース２６は、全体的に、クラブヘッド１０の前面を形成し、かつクラブヘッド１０から外に延びるわずかな凸形／弧状の湾曲を有する。一実施形態では、ストライクフェース２６の湾曲（すなわち、突出部および／またはロール部）は、約７インチから約２０インチの半径を有する。さらに、一般に理解されるように、ストライクフェース２６は、クラブが、中立的な打つ位置に保持されたとき、垂直平面に対してある角度で配置することができる。この角度は、一般に、クラブのロフト角または傾斜と呼ばれる。図１で示されるものなど、ウッドタイプのクラブヘッド（ハイブリッドウッドを含む）は、最も一般的に、約８．５度から約２４度のロフト角を有することができるが、他のロフト角も可能であり、市販されている。
【００２３】
一構成では、フレーム２８は、ストライクフェース２６から離れて延び、かつカップフェース・スタイル設計に似ている後退（ｓｗｅｐｔ−ｂａｃｋ）側壁３０を含む。側壁３０は、ソール２０とクラウン１８の両方の一部を形成することができ、また窪ませたコンプレッションチャンネル（ｃｏｍｐｒｅｓｓｉｏｎ  ｃｈａｎｎｅｌ）３２など、１つまたは複数の表面輪郭特徴をさらに含むことができる。フレーム２８は、一体製造技法により、または溶接、ろう付け、もしくは接着などの別々の工程により、ストライクフェース２６に剛性を有するように取り付けることができる。
【００２４】
ボディセクション１４は、前方セクション１２と結合することができ、またクラウン１８の一部を画定する上側外殻４０（図１で示されるような）と、ソール２０の一部を画定する下側外殻４２（図２で示されるような）とを含むことができる。ボディセクション１４および前方セクション１２は、協動して内部容積を全体的に画定することができ、内部容積は、以下で論ずるように、別々のセクションまたは空洞部へと分離することができる。
【００２５】
設計融通性を高めながら、クラブヘッド１０の構造的な重量を低減するために、ボディセクション１４の上側外殻４０は、成形されるポリマー材料から形成され、接着することができるが、あるいは下側外殻４２と前方セクション１２の両方にその他の形で固定され得る。ボディセクション１４の上側外殻４０を下側外殻４２および／または前方セクション１２に接着するための技法および接合設計は、２０１５年５月２８日に出願された「ＧＯＬＦ  ＣＬＵＢ  ＨＥＡＤ  ＷＩＴＨ  ＭＯＬＤＥＤ  ＰＯＬＹＭＥＲＩＣ  ＢＯＤＹ」と題する米国特許出願第１４／７２４，３２８号で述べられており、その全体が参照により組み込まれる。
【００２６】
一構成では、設計融通性の望ましいレベルを達成するために、射出成形、圧縮成形、吹込成形、熱成形、または同様のものなどの成形技法を用いてポリマー材料を成形して、形にすることができる。最大の設計融通性を提供するために好ましい成形技法は、射出成形である。
【００２７】
重量の節約および設計融通性は重要であるが、ポリマー材料は、さらにクラブヘッド１０がボールをインパクトするときに受ける応力に耐える十分な強度を有する必要がある。これは、構造設計と材料設計の選択を組み合わせることによって達成することができる。材料選択に関しては、約２００ＭＰａ（ＡＳＴＭ  Ｄ６３８による）を超える引張強さを有する成形可能なポリマー材料を使用することが好ましく、約２５０ＭＰａを超えることがより好ましい。さらに成形を容易にするために、ポリマー材料が充填される場合、材料は、望ましくは、重量で約４０％を超える、またはさらに約５５％を超える樹脂含有率を有するべきである。
【００２８】
一実施形態では、ボディセクション１４の上側外殻４０は、充填された熱可塑性物質とすることのできるポリマー材料から形成することができる。充填された熱可塑性物質は、例えば、樹脂、および複数の不連続な繊維（すなわち、「チョップド・ファイバー」）を含むことができる。不連続な／チョップド・ファイバーは、例えば、チョップドカーボンファイバー、またはチョップドグラスファイバーを含むことができ、またボディセクション１４を成形する前に、樹脂内に埋め込まれる。一構成では、ポリマー材料は、「長繊維の熱可塑性物質」とすることができ、その場合、不連続な繊維が、熱可塑性樹脂に埋め込まれ、またそれぞれは、約５ｍｍから約１５ｍｍの設計された繊維長さを有する。別の構成では、ポリマー材料は、「短繊維の熱可塑性物質」とすることができ、その場合、不連続な繊維が、同様に、熱可塑性樹脂に埋め込まれるが、それぞれは、約０．０１ｍｍから約３ｍｍの設計された長さを有することができる。さらにいくつかの構成では、不連続なチョップド・ファイバーは、約１０を超えるアスペクト比（例えば、繊維の長さ／直径）により特徴付けることができるが、約５０を超え、約１５００未満であることがより好ましい。一構成において、充填されたポリマー材料は、概して、約０．０１ｍｍから約１２ｍｍの繊維長さを有し、かつ重量で約４０％から約９０％の樹脂含有率、より好ましくは、重量で約５５％から約７０％の樹脂含有率を有することができる。
【００２９】
１つの適切な材料は、チョップドカーボンファイバー（すなわち、カーボン充填ポリアミド）で充填された熱可塑性ポリアミド（例えば、ＰＡ６またはＰＡ６６）を含むことができる。他の樹脂は、いくつかのポリイミド、ポリアミドイミド、ポリエーテルエーテルケトン（ＰＥＥＫ）、ポリカーボネート、エンジニアリング・ポリウレタン、および／または他の同様の材料を含むことができる。
【００３０】
上側外殻４０がポリマー材料から形成されることが好ましいが、下側外殻４２もポリマー材料から形成できる（すなわち、上側外殻４０と同様な方法で）、または代替的に、金属材料から形成することもできる。例えば、一構成では、下側外殻４２は、フレーム２８と同じ、または同様の金属材料から形成することができ、フレーム２８に溶接される、またはフレーム２８と一体に形成することができるのいずれかである。
【００３１】
ポリマー材料から形成される下側外殻４２は、構造的な重量の低減および増加した設計融通性などの利点を提供することができる。これらのものは、有益な特性であるが、金属の下側外殻もまたいくつかの利点を提示することができる。例えば、金属の下側外殻は、日常的に地面に衝突するソール２０に対して増加した耐久性を提供することができる。さらに金属の下側外殻は、（特にポリマーの上側外殻と対になったとき）重心を低く移動できる増加したソールの重み付けを提供することができる。より低いクラブヘッドの重心は、より多くのスピンおよびより高い打出し角を有するボールインパクトを生ずる傾向があり、それは、特定のゴルファーにとっては、かつ／または特定のロフト角を有するクラブに関連して望ましい特性であると見られている。
【００３２】
上側外殻４０および下側外殻４２は組み合わされて、すべて金属である設計では実行可能ではない（すなわち、現在の顧客主導の重量制約下で実行可能ではない）可能性のある様々な特有のクラブヘッド幾何形状を形成することができる。より具体的には、本設計は、クラウン１８またはソール２０を介して開放／露出された１つまたは複数の内側空洞構造４４（「空洞部４４」）を含むウッドタイプのクラブヘッドを提供することができる。これらの空洞部４４の数または複雑さが増加するにつれて、すべて金属である設計が、望ましいヘッド重量目標の範囲に含まれ得る可能性はますます低くなる。前述のこれらの方法を用いて得ることのできる特有の幾何形状は、より市場性のある消費者製品を作成する最終目的において、機能的かつ／または美的目的を満たすことができる。
【００３３】
図２〜図５は、本設計の第１の実施形態を概略的に示している。この実施形態は、クラブヘッド１０のソール２０を介してアクセス可能な複数の開放された空洞部４４を含む。この実施形態では、空洞構造は、部分的には、ボディ構造１４の上側外殻４０の設計により可能にすることができる。より具体的には、図３で最もよく示されているように、上側外殻４０は、クラウン１８の下側４７から延びる１つまたは複数の内壁４６を含む。１つまたは複数の内壁４６は、クラウン１８と協動して、１つまたは複数の空洞部４４を少なくとも部分的に画定する。組み立てられると、これらの壁４６は、ボディ構造１４の下側外殻４２の方向に延び、少なくともサブセットが下側外殻４２に接触し、かつ固定され得る。
【００３４】
図４で示される下側外殻４２は、ソール２０を通って延びる１つまたは複数の開口部４８を画定することができる。図２と図５の両方で示されるように、１つまたは複数の空洞部４４のそれぞれは、１つまたは複数の開口部４８のそれぞれ１つと連通することができる。このようにして、各空洞部４４は、クラブヘッド１０の外側からアクセス可能な（すなわち、外部環境から完全に封止／隔離された「閉じた空洞部」とは異なる）「開放空洞部」とすることができる。さらに図示のように、各空洞部４４は、クラウン１８とソール２０の間で完全に延びることができる。
【００３５】
複数の開口部４８が設けられる場合、内壁４６が、各開口部の間で下側外殻４２と接触することが重要である。これは、クラブヘッド１０が適用可能な規則に準拠し、かつ各空洞部４４が、開口部４８の１つとだけ連通すること保証するために必要である。
【００３６】
クラウン１８とソール２０の両方に接触することにより、内壁４６の１つまたは複数のものは、クラブヘッド１０を強化するように動作可能である。より具体的には、固定された内壁４６は、クラウン１８および／またはソール２０を補強し、かつ構造の１つまたは複数のモード周波数を高める支柱またはフランジとして働くことができる。この強化は、ソール２０において、特に、開放部４８の近傍で（すなわち、開放部４８が外殻の構造的完全性を損なう場所）、かつ／または隣接する開放部４８の間で有用であり得る。より一般的な方法では、どの内壁４６も、それが延びる構成要素を強化／補強するように動作可能にすることができ、それはまた、より薄い材料をその各構成要素に対して使用できるようにする。したがって、本設計は、これらの構造的な強化機能を、より特有な、かつ積極的な状況を提供する設計コンテキストにおいて利用するための手段を提供する。
【００３７】
ボディ１４の下側外殻４２に、ポリマーの内壁４６を固定する一方法が、図３〜図４で概略的に示されている。より具体的には、この設計は、ソール２０から上に延びるフランジ５０を用いて、内壁４６を下側外殻４２に接着できるようにするさねはぎ（ｔｏｎｇｕｅ−ｉｎ−ｇｒｏｏｖｅ）式継手を含む。このような継手設計は、各構成要素間の接合エリアを最大化するが、必要な継手重量を最小化し、かつ空洞部４４の内側に平滑な／連続的な仕上げを提供する。
【００３８】
図３〜図４で示された実施形態では、下側外殻４２は、ソール２０から延びるフランジ５０を含み、かつ内壁４６の嵌合受入れ部分５２の中に挿入されるように構成される。より具体的には、この構成において、受入れ部分５２は、フランジ５０を受け入れるように構成された溝を画定することができる。組み立てられたとき、フランジ５０は溝内で延びて、その結果受入れ部分５２が、フランジ５０の両側に延びる。位置決めされると、フランジ５０は、例えば、適切な接着剤または他の締結手段を用いて定位置に固定され得る。適切な接着剤は、例えば、二液型アクリルエポキシ、または高粘度のシアノアクリレート接着剤を含むことができる。この設計は、接合エリアの大部分に対して実質的に平行な方向（すなわち、接合エリアが、取外し方向に対する平行の４５度以内にある）に沿う場合に限って、フランジ５０の取外しを物理的に可能にすることにより、剪断接合強度を高めることができる（それは、一般にいくつかの接着剤−ポリマー接合に対する剥離強度よりも優れている）。
【００３９】
本記述の目的に関して、隣接する開口部４８を分離する１つまたは複数の内壁４６は、概して、主内壁５４と呼ぶことができる。上記で述べたように、各主内壁５４は、上側外殻４０と下側外殻４２の間で完全に延びており、構造的な補強を提供するために、定位置に固定されることが好ましい。各主壁５４の別の主要目的は、空洞部４４が、複数の開口部と確実に連通しないようにすることである。
【００４０】
いずれかの主内壁５４に加えて、１つまたは複数の二次的な内壁５６も存在し得る。二次的な内壁５６のそれぞれは、より美的な目的を満たすことができ、クラウン１８とソール２０の両方に固定される必要はない。図５で示すように、二次的な内壁５６は、より大きな空洞部を、共通の開口部４８を共用する２つの小さい空洞部へと細分することができる。一般に、各二次的な壁５６は、各開口部４４とは反対の、ボディ１４の内側面から延びることになり、クラウン１８とソール２０の間で完全に延びる必要はない。
【００４１】
前方壁５８は、ストライクフェース２６の近くの前方セクション１２から１つまたは複数の空洞部４４を分離するためにクラブヘッド１０内に設けることができる。前方壁５８は、それ自体と前方セクション１２との間の閉じた空洞部６０を少なくとも部分的に画定することができる。一構成では、前方壁５８は、液体が浸入し、かつ閉じた空洞部６０内で閉じ込められる可能性を阻止するために、上側外殻４０と下側外殻４２との間で接触し、かつ／または固定され得る。
【００４２】
より一般的な意味において、図２〜図５の実施形態は、ボディセクション１４の上側外殻４０が、例えば、１つまたは複数の主壁５４、１つまたは複数の二次的な内壁５６、および／または前方壁５８などの１つまたは複数の内壁４６を含むことができることを示す。ボディセクション１４の下側外殻４２は、ソール２０を通って延びる１つまたは複数の開口部４８を画定することができ、またクラウン１８および１つまたは複数の内壁４６は、１つまたは複数の空洞部４４を少なくとも部分的に画定することができ、各空洞部４４は、１つまたは複数の開口部４８のそれぞれ１つと連通状態にある。一構成では、空洞部４４の数は、１つまたは複数の二次的な内壁５６を利用することなどにより、開口部４８の数以上である。同様に、空洞部４４の数は、２つ以上の空洞部４４を含むことができ、また空洞部４４の数は、開口部４８の数を超えることができる。
【００４３】
より具体的な別の実施形態では、上側外殻４０は、複数の内壁４６を含むことができ、ここで、複数の内壁４６およびクラウン１８は、３つ以上の空洞部４４を少なくとも部分的に画定し、かつ３つ以上の空洞部４４のそれぞれは、複数の開口部４８のそれぞれ１つと連通している。さらに空洞部４４の数は、１つまたは複数の二次的な内壁５６を利用することなどにより、開口部の数以上である。さらに、この実施形態のさらなる変形形態では、図５で示すものなど、開口部４８よりも少なくとも２つ多い空洞部４４が存在することができる。複数の内壁４６の少なくとも１つは、さらに下側外殻４２に接着される主内壁５４とすることができる。
【００４４】
図６は、本設計の別の実施形態を概略的に示す。この構成では、ソール２０は、中実であり、１つまたは複数の開放された内側空洞部４４が、それぞれクラウン１８に設けられた開口部４８と連通状態にある。この設計はさらに、２部分構成から形成されたボディ１４を含むことができ、上側外殻４０は、下側外殻４２とは別に形成される。前の実施形態と同様に、複数の開口部４８と連通状態にある内側空洞部４４がないように、１つまたは複数の主内壁５４を、上側外殻４０と下側外殻４２の間に設けることができる。同様に、本設計は、クラウン１８における開口部４４の方向に、ボディ１４の下側外殻４２から延びる１つまたは複数の二次的な壁５６を含むことができる。
【００４５】
図７は、本設計の別の実施形態を概略的に示しており、ここで、少なくとも１つの内側空洞部４４は、クラウン１８に設けられた開口部４８と連通しており、また少なくとも１つの内側空洞部４４は、ソール２０に設けられた開口部４８と連通している。例えば、中央の空洞部７０は、上側外殻４０および下側外殻４２の一方に設けられた開口部４８と連通することができ、また、側面空洞部７２は、それぞれ、他方の各外殻に設けられた開口部４８と連通することができる。この実施形態では、１つまたは複数の主内壁５４は、各内側空洞部４４が１つの各開口部４８とだけ連通するように、クラウン１８とソール２０の間で延びる。この設計の拡張においては、１つまたは複数の二次的な壁は、各空洞部４４を内部で細分するように、クラウン１８および／またはソール２０から延びることができる。この設計のより特有な変形では、平面／上面図から見たとき重複しないように、様々な開口部４８をクラウン１８およびソール２０に設けることができる。
【００４６】
上記で述べた設計（ならびにそれらの組合せ）は、ゴルフ市場のいくつか、またはすべてに望ましい可能性のある一定の性能、音響、および／または美的利益を提供することができる。これらの設計は、ポリマー材料からボディ１４の大部分を成形することにより、大部分が可能になる（すなわち、許容されるヘッド重量、およびスイングウェイト基準／範囲に含まれる）。製作上の観点からすると、各内壁５４、５６が、ボディ１４の上側および／または下側外殻４０、４２の一方と一体に成形されることが好ましい。その場合には必ず、上側および下側外殻４０、４２の少なくとも一方が、同様にポリマー材料から形成されることが好ましい。
【００４７】
「１つの（ａ）」、「１つの（ａｎ）」、「その（ｔｈｅ）」、「少なくとも１つの」、および「１つまたは複数の」は、相互に交換可能に使用されて、事項の少なくとも１つが存在するが、文脈が明確にその他の形を示さない限り、複数のこのような事項が存在する可能性のあることを示している。添付の特許請求の範囲を含む本明細書における（例えば、量または条件の）パラメータのすべての数値的な値は、数値的な値の前に「約」が実際にあるかどうかにかかわらず、すべての例において「約」という用語によって修飾されるものと理解されたい。「約」は、示された数値的な値が、何らかのわずかな不正確さを許容することを示している（値の正確さへの何らかの近接、その値の前後もしくはかなり近い、おおよそ）。あるいは、「約」により提供される不正確さが、他に当技術分野のこの普通の意味で理解されない場合、本明細書で使用される「約」は、このようなパラメータを測定および用いる通常の方法から生ずる可能性のある少なくとも変動を示す。加えて、範囲の開示は、すべての値、および範囲全体に含まれるさらに分割された範囲の開示を含む。範囲内の各値、および範囲の端点は、本明細書によりすべて別個の実施形態として開示される。「備える／含む（ｃｏｍｐｒｉｓｅｓ）」、「備える／含む（ｃｏｍｐｒｉｓｉｎｇ）」、「含む」、および「有する」という用語は、包含的なものであり、したがって、述べられた事項の存在を指定するが、他の事項の存在を排除するものではない。本明細書で使用される場合、「または」という用語は、列挙された事項のうちの１つまたは複数のものの任意の、かつすべての組合せを含む。様々な事項を互いに区別するために、第１、第２、第３などの用語が使用される場合、これらの指定は、単に便宜上のものに過ぎず、事項を限定するものではない。
【図１】
2019188165.tif 000003
【図２】
2019188165.tif 000004
【図３】
2019188165.tif 000005
【図４】
2019188165.tif 000006
【図５】
2019188165.tif 000007
【図６】
2019188165.tif 000008
【図７】
2019188165.tif 000009
【手続補正書】
【提出日】令和1年6月14日(2019.6.14)
【手続補正１】
【補正対象書類名】特許請求の範囲
【補正対象項目名】全文
【補正方法】変更
【補正の内容】
【特許請求の範囲】
【請求項１】
ゴルフクラブヘッドであって、
前方セクションとボディセクションを備えており、
前記前方セクションは、ストライクフェースと、フレームと、を含んでおり、
前記ボディセクションは、上側外殻と、下側外殻と、前方壁と、内壁と、を含んでおり、
前記ゴルフクラブヘッドの前記前方セクションと前記ボディセクションは結合しており、
前記前方セクションの前記フレームは、前記ストライクフェースを囲むとともに前記ストライクフェースから後方に伸びており、
前記ボディセクションの前記上側外殻は、クラウン部分を画定しており、
前記ボディセクションの前記下側外殻は、ソール部分を画定しており、
前記上側外殻と前記下側外殻は、別体であって、相互に接着されており、それらの間に内部容積を画定しており、
前記内壁は、前記ボディセクションの前記下側外殻と前記上側外殻に一体に形成され、前記内部容積を通過して伸びており、
前記内壁は、受入れ部分を画定しており、
前記上側外殻と前記下側外殻の他方は、フランジを含み、
前記フランジは、前記内壁の前記受入れ部分内で接着され、
前記前方壁は、前記前方セクションが閉じた空洞部となるように、前記ボディセクションの前記上側外殻と前記下側外殻の間に固定されている、ゴルフクラブヘッド。
【請求項２】
前記上側外殻と前記下側外殻の双方は、ポリマー材料を有している、請求項１に記載のゴルフクラブヘッド。
【請求項３】
前記ポリマー材料は、複数の埋め込まれた繊維を有する充填された熱可塑性材料である、請求項２に記載のゴルフクラブヘッド。
【請求項４】
前記上側外殻は、ポリマー材料から形成され、
前記下側外殻は、金属材料から形成される、請求項１に記載のゴルフクラブヘッド。
【請求項５】
前記上側外殻は、前記クラブヘッドの外側の周囲で前記下側外殻に接着される、請求項１に記載のゴルフクラブヘッド。
【請求項６】
前記前方セクションは、金属材料から形成される、請求項１に記載のゴルフクラブヘッド。
【請求項７】
前記内壁は、全体がポリマー材料から形成されており、
前記ポリマー材料が、充填又は非充填の熱可塑性材料を有する、請求項１に記載のゴルフクラブヘッド。
【請求項８】
前記上側外殻および前記下側外殻の少なくとも一方が、前記内側容積と連通する開口部を画定する、請求項１に記載のゴルフクラブヘッド。
【請求項９】
前記内壁が、２つ以上の内壁である、請求項１に記載のゴルフクラブヘッド。
【請求項１０】
ゴルフクラブヘッドであって、
ストライクフェースを画定する前方セクションと、
前記前方セクションと結合されるボディセクションであって、前記クラウンの一部を画定する上側外殻と、前記ソールの一部を画定する下側外殻と、前記上側外殻と前記下側外殻の間で延びる内壁と、前方壁と、を含む、ボディセクションと、を備えており、
前記内壁は、共通の熱可塑性材料から形成されており、
前記内壁は、前記下側外殻と前記上側外殻に接着されており、
前記内壁は、前記クラブヘッドを強化するとともに前記クラブヘッドのモード周波数を高めるように動作可能であり、
前記内壁は、受入れ部分を画定しており、
前記下側外殻は、フランジを含み、
前記フランジは、前記内壁の前記受入れ部分内で接着され、
前記前方壁は、前記前方セクションが閉じた空洞部となるように、前記ボディセクションの前記上側外殻と前記下側外殻の間に固定されている、ゴルフクラブヘッド。
【請求項１１】
前記上側外殻と前記下側外殻は、それらの間で少なくとも部分的に内部容積を画定しており、
前記内壁は、前記内部容積を通過して伸びている、請求項１０に記載のゴルフクラブヘッド。
【請求項１２】
前記上側外殻および前記下側外殻の少なくとも一方が、前記内側容積と連通する開口部を画定する、請求項１０に記載のゴルフクラブヘッド。
【請求項１３】
前記内壁は、前記開口部を少なくとも部分的に囲み、前記ストライクフェースから前記開口部を分離する、請求項１２に記載のゴルフクラブヘッド。
【請求項１４】
前記下側外殻は、熱可塑性材料を有する、請求項１３に記載のゴルフクラブヘッド。
【請求項１５】
前記内壁が、２つ以上の内壁である、請求項１０に記載のゴルフクラブヘッド。
【請求項１６】
前記ボディセクションは、前記前方セクションに接着される、請求項１５に記載のゴルフクラブヘッド。
【請求項１７】
前記前方セクションは、金属から形成される、請求項１６に記載のゴルフクラブヘッド。
【手続補正２】
【補正対象書類名】明細書
【補正対象項目名】００４７
【補正方法】変更
【補正の内容】
【００４７】
「１つの（ａ）」、「１つの（ａｎ）」、「その（ｔｈｅ）」、「少なくとも１つの」、および「１つまたは複数の」は、相互に交換可能に使用されて、事項の少なくとも１つが存在するが、文脈が明確にその他の形を示さない限り、複数のこのような事項が存在する可能性のあることを示している。添付の特許請求の範囲を含む本明細書における（例えば、量または条件の）パラメータのすべての数値的な値は、数値的な値の前に「約」が実際にあるかどうかにかかわらず、すべての例において「約」という用語によって修飾されるものと理解されたい。「約」は、示された数値的な値が、何らかのわずかな不正確さを許容することを示している（値の正確さへの何らかの近接、その値の前後もしくはかなり近い、おおよそ）。あるいは、「約」により提供される不正確さが、他に当技術分野のこの普通の意味で理解されない場合、本明細書で使用される「約」は、このようなパラメータを測定および用いる通常の方法から生ずる可能性のある少なくとも変動を示す。加えて、範囲の開示は、すべての値、および範囲全体に含まれるさらに分割された範囲の開示を含む。範囲内の各値、および範囲の端点は、本明細書によりすべて別個の実施形態として開示される。「備える／含む（ｃｏｍｐｒｉｓｅｓ）」、「備える／含む（ｃｏｍｐｒｉｓｉｎｇ）」、「含む」、および「有する」という用語は、包含的なものであり、したがって、述べられた事項の存在を指定するが、他の事項の存在を排除するものではない。本明細書で使用される場合、「または」という用語は、列挙された事項のうちの１つまたは複数のものの任意の、かつすべての組合せを含む。様々な事項を互いに区別するために、第１、第２、第３などの用語が使用される場合、これらの指定は、単に便宜上のものに過ぎず、事項を限定するものではない。
以下の項目は、出願時の特許請求の範囲に記載の要素である。
（項目１）
ストライクフェース、クラウン、およびソールを有するゴルフクラブヘッドであって、
前記ストライクフェースを含む前方セクションと、
前記前方セクションと結合されるボディセクションであって、前記クラウンの一部を画定する上側外殻、前記ソールの一部を画定する下側外殻、および前記上側外殻と前記下側外殻の間で延びる内壁、を含む、ボディセクションと、を備え、
前記内壁が、ポリマー材料から成形され、
前記上側外殻および前記下側外殻の少なくとも一方が、前記上側外殻と前記下側外殻の間で延びる空洞部と連通している開口部を画定し、
前記空洞部が、前記内壁により少なくとも部分的に画定される、ゴルフクラブヘッド。
（項目２）
内壁は１つまたは複数の内壁であり、前記開口部は１つまたは複数の開口部であり、前記空洞部は１つまたは複数の空洞部であり、
空洞部の数は、開口部の数以上であり、
前記１つまたは複数の空洞部のそれぞれは、前記１つまたは複数の開口部のそれぞれ１つと連通している、項目１に記載のゴルフクラブヘッド。
（項目３）
前記空洞部は、２つ以上の空洞部である、項目２に記載のゴルフクラブヘッド。
（項目４）
空洞部の数は、開口部の数よりも多い、項目３に記載のゴルフクラブヘッド。
（項目５）
前記内壁は、前記下側外殻に接着される、項目１に記載のゴルフクラブヘッド。
（項目６）
前記内壁は、受入れ部分を画定し、
前記下側外殻は、前記ソールから延びるフランジを含み、
前記フランジは、前記内壁の前記受入れ部分内で接着される、項目５に記載のゴルフクラブヘッド。
（項目７）
前記下側外殻は、金属材料から形成される、項目１に記載のゴルフクラブヘッド。
（項目８）
前記前方セクションは、金属材料から形成され、
前記下側外殻は、前記前方セクションと一体に形成される、項目７に記載のゴルフクラブヘッド。
（項目９）
前記下側外殻は、前記ポリマー材料から形成される、項目１に記載のゴルフクラブヘッド。
（項目１０）
前記内壁は、前記内壁と前記前方セクションの間で閉じた空洞部を少なくとも部分的に画定する、項目１に記載のゴルフクラブヘッド。
（項目１１）
前記成形されるポリマー材は、複数の不連続な埋め込まれた繊維を有する充填された熱可塑性材料である、項目１に記載のゴルフクラブヘッド。
（項目１２）
前記内壁は、前記上側外殻および前記下側外殻の一方と一体に成形される、項目１に記載のゴルフクラブヘッド。
（項目１３）
前記開口部は、第１の開口部であり、前記上側外殻により画定され、
前記下側外殻は、前記上側外殻と前記下側外殻の間で延びる第２の空洞部と連通する第２の開口部を画定し、
前記第２の空洞部は、前記内壁により部分的に画定される、項目１に記載のゴルフクラブヘッド。
（項目１４）
ストライクフェース、クラウン、およびソールを有するゴルフクラブヘッドであって、
前記ストライクフェースを含む前方セクションと、
前記前方セクションと結合されるボディセクションであって、下側外殻に接着された上側外殻、およびそれらの間で延びる内壁、を含む、ボディセクションと、を備え、
前記上側外殻が、前記クラウンの一部を画定し、前記下側外殻が前記ソールの一部を画定し、
前記内壁が、ポリマー材料から形成され、前記上側外殻および前記下側外殻の一方と一体に成形され、前記上側外殻および前記下側外殻の一方に接着され、
前記上側外殻および前記下側外殻の少なくとも一方が、前記内壁により少なくとも部分的に画定される空洞部と連通する開口部を画定する、ゴルフクラブヘッド。
（項目１５）
前記開口部は複数の開口部であり、前記空洞部は複数の空洞部であり、前記複数の空洞部のそれぞれが、前記複数の開口部のそれぞれ１つと連通している、項目１４に記載のゴルフクラブヘッド。
（項目１６）
前記開口部とは反対の前記ボディセクションの一部から前記空洞部の中へと延びる二次的な壁をさらに備える、項目１４に記載のゴルフクラブヘッド。
（項目１７）
ストライクフェース、クラウン、およびソールを有するゴルフクラブヘッドであって、
前記ストライクフェースを含む前方セクションと、
前記前方セクションと結合されるボディセクションであって、前記クラウンの一部を画定する上側部分、および前記ソールの一部を画定する下側部分、を含む、ボディセクションと、を備え、
前記上側部分が、成形されるポリマー材料から形成されており、前記下側部分と接触するように延びる内壁を含み、
前記下側部分が、前記ソールを通って延びる開口部を画定し、
前記内壁および前記クラウンが、前記開口部と連通する空洞部を少なくとも部分的に画定する、ゴルフクラブヘッド。
（項目１８）
内壁は１つまたは複数の内壁であり、前記開口部は１つまたは複数の開口部であり、前記空洞部は１つまたは複数の空洞部であり、
空洞部の数は、開口部の数以上であり、
前記１つまたは複数の空洞部のそれぞれは、前記１つまたは複数の開口部のそれぞれ１つと連通している、項目１７に記載のゴルフクラブヘッド。
（項目１９）
前記空洞部は、２つ以上の空洞部である、項目１８に記載のゴルフクラブヘッド。
（項目２０）
空洞部の数は、開口部の数よりも多い、項目１９に記載のゴルフクラブヘッド。
（項目２１）
前記内壁は、前記下側部分に接着される、項目１７に記載のゴルフクラブヘッド。
（項目２２）
前記内壁は、受入れ部分を画定し、
前記下側部分は、前記ソールから延びるフランジを含み、
前記フランジは、前記内壁の前記受入れ部分内で接着される、項目２１に記載のゴルフクラブヘッド。
（項目２３）
前記下側部分は、金属材料から形成される、項目１７に記載のゴルフクラブヘッド。
（項目２４）
前記前方セクションは、金属材料から形成され、
前記下側部分は、前記前方セクションと一体に形成される、項目２３に記載のゴルフクラブヘッド。
（項目２５）
前記下側部分は、前記ポリマー材料から形成される、項目１７に記載のゴルフクラブヘッド。
（項目２６）
前記内壁は、前記内壁と前記前方セクションの間に閉じた空洞部を少なくとも部分的に画定する、項目１７に記載のゴルフクラブヘッド。
（項目２７）
前記成形されるポリマー材料は、複数の埋め込まれた繊維を有する充填された熱可塑性材料である、項目１７に記載のゴルフクラブヘッド。
（項目２８）
ストライクフェース、クラウン、およびソールを有するゴルフクラブヘッドであって、
前記ストライクフェースを含む前方セクションと、
前記前方セクションと結合されるボディセクションであって、前記クラウンの一部を画定する上側部分、および前記ソールの一部を画定する下側部分、を含む、ボディセクションと、を備え、
前記上側部分が、成形されるポリマー材料から形成されており、前記下側部分の方向に延びる複数の内壁を含み、
前記下側部分が、前記ソールを通って延びる複数の開口部を画定し、
前記複数の内壁および前記クラウンが、３つ以上の空洞部を少なくとも部分的に画定し、前記３つ以上の空洞部のそれぞれが、前記複数の開口部のそれぞれ１つと連通しており、
空洞部の数は、開口部の数以上である、ゴルフクラブヘッド。
（項目２９）
前記開口部よりも少なくとも２つ多い空洞部が存在する、項目２８に記載のゴルフクラブヘッド。
（項目３０）
前記複数の内壁の少なくとも１つは、前記下側部分に接着される、項目２８に記載のゴルフクラブヘッド。
（項目３１）
前記複数の内壁の前記少なくとも１つは、受入れ部分を画定し、
前記下側部分は、前記ソールから延びるフランジを含み、
前記フランジは、前記受入れ部分内で接着される、項目３０に記載のゴルフクラブヘッド。
（項目３２）
前記下側部分は、金属材料から形成される、項目２８に記載のゴルフクラブヘッド。
（項目３３）
前記前方セクションは、金属材料から形成され、
前記下側部分は、前記前方セクションと一体に形成される、項目３２に記載のゴルフクラブヘッド。
（項目３４）
前記複数の内壁の少なくとも１つが、前記少なくとも１つの内壁と前記前方セクションの間で閉じた空洞部を画定する、項目２８に記載のゴルフクラブヘッド。
（項目３５）
前記成形されるポリマー材料は、熱可塑性材料である、項目２８に記載のゴルフクラブヘッド。
（項目３６）
前記熱可塑性材料は、複数の埋め込まれた繊維を有する充填された熱可塑性材料である、項目３５に記載のゴルフクラブヘッド。
【手続補正書】
【提出日】令和1年9月13日(2019.9.13)
【手続補正１】
【補正対象書類名】特許請求の範囲
【補正対象項目名】全文
【補正方法】変更
【補正の内容】
【特許請求の範囲】
【請求項１】
ゴルフクラブヘッドであって、
前方セクションとボディセクションを備えており、
前記前方セクションは、ストライクフェースと、フレームと、を含んでおり、
前記ボディセクションは、上側外殻と、下側外殻と、前方壁と、内壁と、を含んでおり、
前記ゴルフクラブヘッドの前記前方セクションと前記ボディセクションは結合しており、
前記前方セクションの前記フレームは、前記ストライクフェースを囲むとともに前記ストライクフェースから後方に伸びており、
前記ボディセクションの前記上側外殻は、クラウン部分を画定しており、
前記ボディセクションの前記下側外殻は、ソール部分を画定しており、
前記上側外殻と前記下側外殻は、別体であって、相互に接着されており、それらの間に内部容積を画定しており、
前記内壁は、前記ボディセクションの前記下側外殻と前記上側外殻に一体に形成され、前記内部容積を通過して伸びており、
前記内壁は、受入れ部分を画定しており、
前記上側外殻と前記下側外殻の他方は、フランジを含み、
前記フランジは、前記内壁の前記受入れ部分内で接着され、
前記前方壁は、前記前方セクションが閉じた空洞部となるように、前記ボディセクションの前記上側外殻と前記下側外殻の間に固定されている、ゴルフクラブヘッド。
【請求項２】
前記上側外殻と前記下側外殻の双方は、ポリマー材料を有している、請求項１に記載のゴルフクラブヘッド。
【請求項３】
前記ポリマー材料は、複数の埋め込まれた繊維を有する充填された熱可塑性材料である、請求項２に記載のゴルフクラブヘッド。
【請求項４】
前記上側外殻は、ポリマー材料から形成され、
前記下側外殻は、金属材料から形成される、請求項１に記載のゴルフクラブヘッド。
【請求項５】
前記上側外殻は、前記クラブヘッドの外側の周囲で前記下側外殻に接着される、請求項１に記載のゴルフクラブヘッド。
【請求項６】
前記前方セクションは、金属材料から形成される、請求項１に記載のゴルフクラブヘッド。
【請求項７】
前記内壁は、全体がポリマー材料から形成されており、
前記ポリマー材料が、充填又は非充填の熱可塑性材料を有する、請求項１に記載のゴルフクラブヘッド。
【請求項８】
前記上側外殻および前記下側外殻の少なくとも一方が、前記内部容積と連通する開口部を画定する、請求項１に記載のゴルフクラブヘッド。
【請求項９】
前記内壁が、２つ以上の内壁である、請求項１に記載のゴルフクラブヘッド。
【請求項１０】
ゴルフクラブヘッドであって、
ストライクフェースを画定する前方セクションと、
前記前方セクションと結合されるボディセクションであって、クラウンの一部を画定する上側外殻と、ソールの一部を画定する下側外殻と、前記上側外殻と前記下側外殻の間で延びる内壁と、前方壁と、を含む、ボディセクションと、を備えており、
前記内壁は、共通の熱可塑性材料から形成されており、
前記内壁は、前記下側外殻と前記上側外殻に接着されており、
前記内壁は、前記クラブヘッドを強化するとともに前記クラブヘッドのモード周波数を高めるように動作可能であり、
前記内壁は、受入れ部分を画定しており、
前記下側外殻は、フランジを含み、
前記フランジは、前記内壁の前記受入れ部分内で接着され、
前記前方壁は、前記前方セクションが閉じた空洞部となるように、前記ボディセクションの前記上側外殻と前記下側外殻の間に固定されている、ゴルフクラブヘッド。
【請求項１１】
前記上側外殻と前記下側外殻は、それらの間で少なくとも部分的に内部容積を画定しており、
前記内壁は、前記内部容積を通過して伸びている、請求項１０に記載のゴルフクラブヘッド。
【請求項１２】
前記上側外殻および前記下側外殻の少なくとも一方が、前記内部容積と連通する開口部を画定する、請求項１１に記載のゴルフクラブヘッド。
【請求項１３】
前記内壁は、前記開口部を少なくとも部分的に囲み、前記ストライクフェースから前記開口部を分離する、請求項１２に記載のゴルフクラブヘッド。
【請求項１４】
前記下側外殻は、熱可塑性材料を有する、請求項１３に記載のゴルフクラブヘッド。
【請求項１５】
前記内壁が、２つ以上の内壁である、請求項１０に記載のゴルフクラブヘッド。
【請求項１６】
前記ボディセクションは、前記前方セクションに接着される、請求項１５に記載のゴルフクラブヘッド。
【請求項１７】
前記前方セクションは、金属から形成される、請求項１６に記載のゴルフクラブヘッド。
【手続補正２】
【補正対象書類名】明細書
【補正対象項目名】０００８
【補正方法】変更
【補正の内容】
【０００８】
構造的な質量とは、概して、繰り返される衝撃に耐えるのに必要な構造的弾力性をクラブヘッドに提供するのに必要とされる材料の質量を指す。構造的な質量は、設計依存性の高いものであり、設計者に、特定の質量分布に対する比較的低い制御量を提供する。他方で、自由裁量の質量とは、クラブの性能および／または復元許容性をカスタマイズするだけの目的で、クラブヘッド設計に追加され得る任意の付加質量である。理想的なクラブ設計においては、構造的な質量の量を最小化して（弾力性を犠牲にすることなく）、クラブ性能をカスタマイズするより大幅な能力を設計者に提供し、同時に、従来の、または望ましいスイングウェイトを維持する。構造的な質量と自由裁量の質量を考慮して設計されたゴルフクラブヘッドの例が米国特許第６３７５５８３号、米国特許第６６１６５４７号、米国特許公開第２００３／０１０４８７８号、米国特許公開第２００７／０００４５３２号、国際公開第２０１４／０７０３４３号に開示されている。
【外国語明細書】
2019188165000001.pdf
2019188165000002.pdf
2019188165000003.pdf
2019188165000004.pdf